(57)【特許請求の範囲】
【請求項１】
ランプが装着されるランプソケットおよびその点灯回路を内部に収納する器具本体と、光を外部に照射させるための開口を有し、前記器具本体の前面側に開閉自在に取着される前蓋と、前記点灯回路への供給電路にそれぞれ接続されて前記前蓋が閉じられると導通する一対のスイッチと、前後方向に沿って平行に配設された一対のスライド軸を有し、当該一対のスライド軸を介して前記ランプソケットを前後方向にスライド移動させる移動機構とを備え、
前記前蓋には、当該前蓋を閉じた際に前記一対のスイッチを押操作する操作片が設けられ、前記一対のスイッチを、前記一対のスライド軸間に並べて配置するとともに、前記操作片に押される側の互いの間隔が狭く且つ反対側の互いの間隔が広くなるように配置したことを特徴とする照明器具。
【発明の詳細な説明】
【技術分野】
【０００１】
本発明は、照明器具に関するものである。
【背景技術】
【０００２】
従来より、センサを用いて開閉蓋の開閉状態を検知し、開閉状態に応じて電力供給をオン／オフさせる投光器があった（例えば特許文献１参照）。この投光器は、内部に高圧放電ランプが配設されたボックスを有し、このボックスの一端側（光の照射方向と反対側）には開閉蓋が開閉自在に取着されている。また、ボックスには開閉蓋の開閉状態を検知するためのセンサが取り付けられ、開閉蓋の状態に応じて通電制御器に開信号または閉信号の何れかが出力されるようになっている。そして、開閉蓋が開けられてセンサから通電制御器に開信号が入力されると、通電制御器により点灯回路から高圧放電ランプへの電力供給が遮断され、開閉蓋が閉じられてセンサから通電制御器に閉信号が入力されると、通電制御器により点灯回路から高圧放電ランプへの電力供給が行われる。
【特許文献１】特開平７−２４０１０２号公報（段落［００４３］−段落［００４７］、及び、第６図）
【発明の開示】
【発明が解決しようとする課題】
【０００３】
上述の特許文献１に示した投光器は、開閉蓋が開けられた場合、通電制御器により点灯回路から高圧放電ランプへの電力供給を遮断したものではあるが、点灯回路の一次側への電源供給を遮断したものではないから、例えばランプ交換などの際に開閉蓋を開けて中に手を入れると感電する虞があった。
【０００４】
そこで、感電の可能性を低減させるためには、点灯回路の一次側への給電を２つのスイッチを用いて両切りにする必要があるが、この場合、器具本体の内部に２つのスイッチを収納するため、器具本体が大型化する虞があった。
【０００５】
本発明は上記問題点に鑑みて為されたものであり、その目的とするところは、安全性を向上させた小型の照明器具を提供することにある。
【課題を解決するための手段】
【０００６】
請求項１の発明は、ランプが装着されるランプソケットおよびその点灯回路を内部に収納する器具本体と、光を外部に照射させるための開口を有し、器具本体の前面側に開閉自在に取着される前蓋と、点灯回路への供給電路にそれぞれ接続されて前蓋が閉じられると導通する一対のスイッチと、前後方向に沿って平行に配設された一対のスライド軸を有し、当該一対のスライド軸を介してランプソケットを前後方向にスライド移動させる移動機構とを備え、前蓋には、当該前蓋を閉じた際に一対のスイッチを押操作する操作片が設けられ、一対のスイッチを、一対のスライド軸間に並べて配置するとともに、操作片に押される側の互いの間隔が狭く且つ反対側の互いの間隔が広くなるように配置したことを特徴とする。
【発明の効果】
【０００７】
請求項１の発明によれば、一対のスイッチを、移動機構を構成する一対のスライド軸間に並べて配置するとともに、前蓋の操作片に押される側の互いの間隔が狭く且つ反対側の互いの間隔が広くなるように配置することによって、一対のスイッチを縦向き且つ平行に配置した場合に比べて縦方向の寸法を小さくすることができ、また一対のスイッチを横向きに配置した場合に比べて横方向の寸法を小さくすることができるので、一対のスイッチの収納スペースが小さくて済み、全体として小型化した照明器具を実現することができ、さらに操作片に押される側の互いの間隔を狭くすることによって操作片を小型化することができるという効果がある。また、各スイッチを点灯回路への供給電路にそれぞれ接続しており、前蓋を開けた際には点灯回路の一次側を両切りにできるので、ランプ交換などの際の感電の可能性を低減でき、安全性が向上するという効果がある。
【発明を実施するための最良の形態】
【０００８】
本発明の実施形態を図１〜図５に基づいて説明する。本実施形態の照明器具は、例えば舞台やスタジオなどで用いられるスポットライトであり、後述するように器具本体を軸回りに回動させることによって、内部に配設されたランプ１０からの光の照射方向が変えられるようになっている。なお、以下の説明では特に断りがない限り、図３中の矢印ａ−ｂの方向を前後方向、矢印ｃ−ｄの方向を左右方向、矢印ｅ−ｆの方向を上下方向として説明を行う。
【０００９】
本実施形態の照明器具は、図１〜図４に示すように略円筒状の上ケース１および上ケース１の下側に取着される下ケース２からなる器具本体と、上ケース１の前面側に開閉自在に取着される前蓋５と、上ケース１の内部に配設されるランプ１０と、ランプ１０の後方に配置されランプ１０からの光を前面側に反射させる反射鏡９と、ランプ１０および反射鏡９を前後方向にスライド移動させる移動機構と、ランプ１０に点灯電力を供給する安定器８（点灯回路）と、一対のリミットスイッチ１９とを備えている。
【００１０】
上ケース１は、前後方向を軸方向とする略円筒状であって前面が開口するケース本体１ａを有し、ケース本体１ａの後面を閉塞する後蓋３には複数の放熱孔（図示せず）が貫設されている。また、ケース本体１ａの前面側の左端には、前蓋５を軸支するための軸受部１ｂが設けられている。なお、後蓋３の後面には操作ハンドル４が取着され、この操作ハンドル４を上下方向に操作することによって器具本体（上ケース１および下ケース２）を軸回りに回動させて光の照射方向を変えられるようになっており、また後蓋３の内側（図４（ａ）中の後蓋３の後面と上ケース１の後端との間）には、遮光性を有する材料で形成された遮光板１２が前後方向において上記複数の放熱孔と重なるように配置され、ランプ１０からの光が放熱孔から外部に漏れないようになっている。また、上述した放熱孔は、器具本体の内部の熱を外部に逃がすために設けられたものであり、ランプ１０を点灯させた際に発生する熱や安定器８からの熱などが当該放熱孔から外部に放出されるようになっている。
【００１１】
さらに、図３に示すように、略Ｕ字状のアーム２０が上ケース１の左右方向両側部に設けた軸部（図示せず）に軸支されており、アーム２０に対して器具本体が軸回りに回動できるようになっている。また、左側の軸部にはねじ部が設けられ、このねじ部には固定ハンドル２１が螺合するようになっており、アーム２０に対して器具本体を所望の角度に回転させた後、固定ハンドル２１を時計回りの方向に回転させることによって、アーム２０に対する器具本体の位置（角度）が固定できるようになっている。
【００１２】
次に、前蓋５は、図３〜図５に示すように、前後方向を軸方向とする略円筒状であって前後両端面が開口する筒状部５ｂおよび筒状部５ｂの前面側に取着された略矩形状の保持枠５ａからなり、筒状部５ｂの後面側には、例えばフレネルレンズからなる集光レンズ１１（図４（ａ）参照）が取着され、保持枠５ａの４辺には、リフレクタ７ａ、７ｂがそれぞれ回動自在に取着されている。ここにおいて、リフレクタ７ａ、７ｂは、集光レンズ１１を通って外部に照射された光を所望の方向に反射させるためのものであり、本実施形態の照明器具では、器具本体を軸回りに回動させることによって光の照射方向を調整し、さらにリフレクタ７ａ、７ｂの角度を調整することによって微調整できるようになっている。
【００１３】
また、筒状部５ｂの左端には、上述した上ケース１の軸受部１ｂに軸支される軸部５ｃが設けられており、この軸部５ｃを軸受部１ｂに軸支させることによって、前蓋５が上ケース１の前面側に開閉自在に取着される。さらに、前蓋５の筒状部５ｂの下側には、図５（ｂ）および図５（ｃ）に示すように後述するリミットスイッチ１９のアクチュエータ１９ｂを押操作する略Ｌ字状の操作片２８がねじ固定されている。ここに前蓋５は、例えばランプ交換などのメンテナンス時に、上ケース１内部に手を入れるために設けられたものである。
【００１４】
下ケース２は、図１および図２に示すように、上面が開口するとともに前後方向両側壁の上部が上ケース１のケース本体１ａの側壁に沿うように円弧状に切り欠かれた略矩形箱状の上収納部２ａと、上収納部２ａの下端縁から一体に形成された略矩形箱状の下収納部２ｂとで構成されており、上ケース１に取り付けた状態では互いの内部の収納スペースが連通するようになっている。そして、下収納部２ｂには、ランプ１０に点灯電力を供給する安定器８が収納されている。
【００１５】
一方、上収納部２ａには、図１、図２および図４に示すように、ランプ１０および反射鏡９を前後方向にスライド移動させる移動機構が収納されている。この移動機構は、前後方向（図１の紙面に垂直な方向）に並べて配設された一対のスライド軸１３Ａ、１３Ｂと、スライド軸１３Ａ、１３Ｂに沿って前後方向にスライド移動する移動台１４とを備えている。一方のスライド軸１３Ａには、長手方向に沿って螺旋状の溝１３ａ（図４（ａ）参照）が形成されており、移動台１４には溝１３ａに対応する部位に溝１３ａと係合する係合突起（図示せず）が設けられている。また、もう一方のスライド軸１３Ｂは、移動台１４に対してスライド軸１３Ａと反対側に配置され、移動台１４が前後方向にスライド移動できるように、移動台１４がスライド軸１３Ａ回りに回動するのを規制している。なお、スライド軸１３Ａの後端部には操作ハンドル１５が取着されており、この操作ハンドル１５を回転させることによってスライド軸１３Ａが回転し、このとき移動台１４の係合突起がスライド軸１３Ａの溝１３ａに沿って移動することで、移動台１４が前後方向にスライド移動するようになっている。
【００１６】
また、移動台１４の上面には、ランプソケット２２を介してランプ１０が取り付けられており、さらにランプ１０の後方には後面側に凸となる曲面状の反射面を有する反射鏡９が取り付けられている。そして、操作ハンドル１５を回転させて移動台１４を前後方向に移動させることによって、ランプ１０および反射鏡９が前後方向に移動できるようになっている。なお、ランプソケット２２と安定器８の出力端（図示せず）との間は電線（図示せず）により接続されており、安定器８の出力端から出力された点灯電力がランプソケット２２を介してランプ１０に供給されるようになっている。
【００１７】
さらに、上収納部２ａ内において上記移動機構の前方には、一対のリミットスイッチ１９（図４（ｂ）では一方のみ図示）がブラケット２９を介して配置されている。リミットスイッチ１９は、前蓋５の開閉動作に応じてオン／オフすることで一次側電源（商用電源）と安定器８との間を接続または遮断するためのものであり、安定器８の一次側の各入力端（図示せず）と商用電源との間には、各リミットスイッチ１９の内部接点（図示せず）がそれぞれ接続されている。また、各リミットスイッチ１９の本体部１９ａの前面側には、一端側が本体部１９ａに回動自在に軸支されたアクチュエータ１９ｂが設けられており、このアクチュエータ１９ｂの他端側（先端側）を本体部１９ａ側に押すことによって内部接点がオンするように構成されている。
【００１８】
一方、ブラケット２９は、図１および図４（ｂ）に示すように上収納部２ａに取り付けるための略Ｌ字状の取付片２９ａと、前面に横長矩形状の開口部２９ｄが形成された略Ｌ字状の前片２９ｃと、取付片２９ａと前片２９ｃとの間を連結する略Ｌ字状の連結片２９ｂとが一体に折曲形成されており、各リミットスイッチ１９は取付板２７を介してブラケット２９に取り付けられる。
【００１９】
ここにおいて、各リミットスイッチ１９は、図４（ｂ）に示すように前片２９ｃ、連結片２９ｂおよび取付片２９ａで形成される空間内に配置され、前後方向においてアクチュエータ１９ｂの先部が開口部２９ｄに臨むように配置される。また、２個のリミットスイッチ１９は、図１に示すように前後方向に沿って配設された一対のスライド軸１３Ａ、１３Ｂ間に並べて配置され、さらにアクチュエータ１９ｂの先端側の互いの間隔が狭く且つ反対側の互いの間隔が広くなるように、略ハ字型に配置される。
【００２０】
次に、本実施形態の移動機構の動作について図２に基づいて説明する。図２（ａ）は上面にランプ１０および反射鏡９が取り付けられた移動台１４が後端位置にある状態を示しており、この状態から操作ハンドル１５を一定方向に回転させてスライド軸１３Ａを同方向に回転させると、移動台１４はスライド軸１３Ａ、１３Ｂに沿って前方へ移動し、図２（ｂ）に示す前端位置まで移動する。このとき移動台１４は、前側の一部がブラケット２９の連結片２９ｂと被る位置まで移動することになるが、このような構成を採用することによって上収納部２ａの前後方向における寸法を小さくすることができ、下ケース２を小型化することができる。
【００２１】
逆に、移動台１４が図２（ｂ）に示す前端位置にある状態から、操作ハンドル１５を上述と逆方向に回転させてスライド軸１３Ａを同方向に回転させると、移動台１４はスライド軸１３Ａ、１３Ｂに沿って後方へ移動し、図２（ａ）に示す後端位置まで移動する。
【００２２】
さらに、前蓋５の開閉動作に伴うリミットスイッチ１９の動作について図４および図５に基づいて説明する。前蓋５の筒状部５ｂの下側には図５（ｂ）、（ｃ）に示すように操作片２８が設けられており、前蓋５を閉じると操作片２８がブラケット２９の前片２９ｃに設けた開口部２９ｄに挿通され、図４（ｂ）に示すように開口部２９ｄの後方に配置された両リミットスイッチ１９、１９のアクチュエータ１９ｂ、１９ｂがこの操作片２８により後方に押される。両アクチュエータ１９ｂ、１９ｂが後方に押されると、各リミットスイッチ１９の内部接点がそれぞれオンになり、安定器８の一次側の各入力端と電源との間がそれぞれ接続される。
【００２３】
逆に、前蓋５を開けると操作片２８が図４（ｂ）に示す付勢位置から後退し、アクチュエータ１９ｂによる付勢力が取り除かれるから、各リミットスイッチ１９の内部接点がともにオフになり、安定器８の一次側の入力端と電源との間が両切りされる。
【００２４】
本実施形態の照明器具では、一対のリミットスイッチ１９、１９を、移動機構を構成する一対のスライド軸１３Ａ、１３Ｂ間に並べて配置するとともに、アクチュエータ１９ｂの先端側（前蓋５の操作片２８に押される側）の互いの間隔が狭く且つ反対側の互いの間隔が広くなるように配置することによって、一対のリミットスイッチ１９、１９を縦向き且つ平行に配置した場合に比べて縦方向の寸法を小さくすることができ、また一対のリミットスイッチ１９、１９を横向きに配置した場合に比べて横方向の寸法を小さくすることができるので、一対のリミットスイッチ１９、１９の収納スペースが小さくて済み、全体として小型化した照明器具を実現することができる。また、アクチュエータ１９ｂの先端側の互いの間隔を狭くすることによって、アクチュエータ１９ｂを押す操作片２８の幅寸法を小さくすることができ、小型化が図れる。さらに、各リミットスイッチ１９の内部接点を、安定器８の一次側の各入力端と電源との間にそれぞれ接続しており、前蓋５を開けた際には安定器８の一次側の各入力端と電源との間を両切りにできるので、ランプ交換などの際の感電の可能性を低減でき、安全性が向上する。
【図面の簡単な説明】
【００２５】
【図１】本実施形態の照明器具に用いられる下ケースの断面図である。
【図２】（ａ）、（ｂ）は同上に用いられる下ケースの斜視図である。
【図３】同上の斜視図である。
【図４】同上を示し、（ａ）は断面図、（ｂ）は要部詳細断面図である。
【図５】（ａ）〜（ｃ）は同上の動作を説明する説明図である。
【符号の説明】
【００２６】
１  上ケース
２  下ケース
５  前蓋
８  安定器（点灯回路）
１０  ランプ
１３Ａ、１３Ｂ  スライド軸
１９  リミットスイッチ（スイッチ）
２２  ランプソケット
２８  操作片
【図１】
0005027690.tif 000002
【図２】
0005027690.tif 000003
【図３】
0005027690.tif 000004
【図４】
0005027690.tif 000005
【図５】
0005027690.tif 000006